(57)【特許請求の範囲】
【請求項１】
操作部材の液状内容物吐出操作の解除直後に、当該操作部材とこれとは独立して下死点位置へ移動する吐出弁部材との間の弁作用および操作部材復帰作動部の作用により、吐出口側の残留液状内容物に対してバックサクション作用を呈するポンプ機構において、
前記操作部材は、
前記吐出口側の開口部分と、
前記液状内容物吐出操作の際に、前記吐出弁部材と当接してこれを当該吐出操作の操作方向に駆動する連動作用部と、
操作対象となる環状上面部分とを有し、
当該環状上面部分の内側開口部が前記吐出口側の開口部分として作用する筒状部材からなり、
前記吐出弁部材は、
前記操作部材とは別の独立した移動可能な部材であって、
当該操作部材への前記液状内容物吐出操作およびその解除に応じて前記開口部分との間の開閉作用を呈する、弁作用部を有し、
前記操作部材および前記吐出弁部材は、
前記液状内容物吐出操作の時には、
先ず当該操作部材の開口部分が前記弁作用部から離間し、続いて前記連動作用部が当該吐出弁部材を前記操作方向に駆動し、
前記液状内容物吐出操作の解除時には、
先ず前記操作部材復帰作動部の復帰作用に基づき、当該操作部材が、当該吐出弁部材に対して当該開口部分と当該弁作用部との間部分が開状態のまま当該操作方向とは逆方向に移動することにより、前記バックサクション作用を呈し、続いて同じく当該復帰作用に基づいて当該間部分が閉状態となった上で当該操作部材および当該吐出弁部材が連動して静止モードに復帰する、
構造からなっている、
ことを特徴とするバックサクション機能を備えたポンプ機構。
【請求項２】
前記液状内容物を収容する容器本体に取り付けられて、当該容器本体とともに液状内容物の収容空間域を設定するカバー体を有し、
前記カバー体は、
前記収容空間域の液状内容物が流入する孔部と、
当該孔部の回りに形成されて、少なくとも前記下死点位置の前記吐出弁部材をそれとの摩擦作用により保持する機能を備えた第１の環状起立部とを有し、
前記吐出弁部材は、
少なくとも前記下死点位置で前記第１の環状起立部の内周面に当接し、当該内周面との摩擦力によりこの当接状態に保持される被保持部を有する、
ことを特徴とする請求項１記載のバックサクション機能を備えたポンプ機構。
【請求項３】
前記第１の環状起立部の内側に取り付けられて、その外周面部分で、前記吐出弁部材の前記操作方向および前記逆方向への移動を案内し、かつ、前記孔部に対する弁機能を備えた吸込弁部材を有する、
ことを特徴とする請求項２記載のバックサクション機能を備えたポンプ機構。
【請求項４】
前記操作部材および前記カバー体にそれぞれ一方および他方の端部が取り付けられて、前記孔部を閉じた状態の吸込弁から前記開口部分にいたる液状内容物貯留空間域を設定し、かつ、前記操作部材復帰作動部として作用しえる筒状のジャバラ部材を有する、
ことを特徴とする請求項２または３記載のバックサクション機能を備えたポンプ機構。
【請求項５】
前記カバー体の前記第１の環状起立部の外側に形成された第２の環状起立部と、
前記操作部材に取り付けられて、前記第２の環状起立部の内周面との間のシール作用を呈し、かつ、前記孔部を閉じた状態の吸込弁から前記開口部分にいたる液状内容物貯留空間域を設定する筒状の可動部材とを有する、
ことを特徴とする請求項２または３記載のバックサクション機能を備えたポンプ機構。
【請求項６】
操作部材の液状内容物吐出操作の解除直後に、当該操作部材とこれとは独立して下死点位置へ移動する吐出弁部材との間の弁作用および操作部材復帰作動部の作用により、吐出口側の残留液状内容物に対してバックサクション作用を呈するポンプ機構において、
前記液状内容物を収容する容器本体に取り付けられて、当該容器本体とともに液状内容物の収容空間域を設定し、かつ、当該収容空間域の液状内容物が流入する孔部と、当該孔部の回りに形成されて、少なくとも前記下死点位置の前記吐出弁部材をそれとの摩擦作用により保持する機能を備えた第１の環状起立部とを有するカバー体と、
前記操作部材および前記カバー体にそれぞれ一方および他方の端部が取り付けられた筒状のジャバラ部材とを備え、
前記操作部材は、
前記吐出口側の開口部分と、
前記液状内容物吐出操作の際に、前記吐出弁部材と当接してこれを当該吐出操作の操作方向に駆動する連動作用部とを有し、
前記吐出弁部材は、
前記操作部材とは別の独立した移動可能な部材であって、
当該操作部材への前記液状内容物吐出操作およびその解除に応じて前記開口部分との間の開閉作用を呈する、弁作用部と、
少なくとも前記下死点位置で前記第１の環状起立部の内周面に当接し、当該内周面との摩擦力によりこの当接状態に保持される被保持部とを有し、
前記ジャバラ部材は、
前記孔部を閉じた状態の吸込弁から前記開口部分にいたる液状内容物貯留空間域を設定し、かつ、前記操作部材復帰作動部として作用しえる部材であり、
前記操作部材および前記吐出弁部材は、
前記液状内容物吐出操作の時には、
先ず当該操作部材の開口部分が前記弁作用部から離間し、続いて前記連動作用部が当該吐出弁部材を前記操作方向に駆動し、
前記液状内容物吐出操作の解除時には、
先ず前記操作部材復帰作動部の復帰作用に基づき、当該操作部材が、当該吐出弁部材に対して当該開口部分と当該弁作用部との間部分が開状態のまま当該操作方向とは逆方向に移動することにより、前記バックサクション作用を呈し、続いて同じく当該復帰作用に基づいて当該間部分が閉状態となった上で当該操作部材および当該吐出弁部材が連動して静止モードに復帰する、
構造からなっている、
ことを特徴とするバックサクション機能を備えたポンプ機構。
【請求項７】
前記第１の環状起立部の内側に取り付けられて、その外周面部分で、前記吐出弁部材の前記操作方向および前記逆方向への移動を案内し、かつ、前記孔部に対する弁機能を備えた吸込弁部材を有する、
ことを特徴とする請求項６記載のバックサクション機能を備えたポンプ機構。
【請求項８】
前記吸込弁部材は、
前記孔部に対して作用する前記吸込弁が形成された筒状部からなって、その吸込弁側の側面部分に、筒状部内部から筒状部外部への液状内容物通過用の第１の貫通部を備えた筒状部材であり、
前記吐出弁部材は、
開口部側が前記吸込弁部材の外周面に案内され、当該吸込弁部材の上流側内部空間域から連続する下流側内部空間域を形成する有底筒状部からなって、その底部側の側面部分に、有底筒状部内部から有底筒状部外部への液状内容物通過用の第２の貫通部を備えた有底筒状部材であり、
前記吸込弁の部分から前記開口部分までの液状内容物通路域として、
前記上流側内部空間域から前記下流側内部空間域を経て前記第２の貫通部およびその先の前記開口部分にいたる第１の通路域と、
前記第１の貫通部から、前記吸込弁部材および前記吐出弁部材と前記ジャバラ部材との間の外部空間域を経て、前記開口部分にいたる第２の通路域とが設定されている、
ことを特徴とする請求項７記載のバックサクション機能を備えたポンプ機構。
【請求項９】
操作部材の液状内容物吐出操作の解除直後に、当該操作部材とこれとは独立して下死点位置へ移動する吐出弁部材との間の弁作用および操作部材復帰作動部の作用により、吐出口側の残留液状内容物に対してバックサクション作用を呈するポンプ機構において、
前記液状内容物を収容する容器本体に取り付けられて、当該容器本体とともに液状内容物の収容空間域を設定し、かつ、当該収容空間域の液状内容物が流入する孔部と、当該孔部の回りに形成されて、少なくとも前記下死点位置の前記吐出弁部材をそれとの摩擦作用により保持する機能を備えた第１の環状起立部と、当該第１の環状起立部の外側に形成された第２の環状起立部とを有するカバー体と、
前記第１の環状起立部の内側に取り付けられて、前記孔部に対する弁機能を備えた吸込弁部材と、
前記操作部材に取り付けられて、前記第２の環状起立部の内周面との間のシール作用を呈する筒状の可動部材とを備え、
前記操作部材は、
前記吐出口側の開口部分と、
前記液状内容物吐出操作の際に、前記吐出弁部材と当接してこれを当該吐出操作の操作方向に駆動する連動作用部とを有し、
前記筒状の可動部材は、
前記孔部を閉じた状態の吸込弁から前記開口部分にいたる液状内容物貯留空間域を設定する可動部材であり、
前記吸込弁部材は、
その外周面部分で、前記吐出弁部材の前記操作方向および当該操作方向とは逆方向への移動を案内し、
前記孔部に対して作用する前記吸込弁が形成された筒状部からなって、その吸込弁側の側面部分に、筒状部内部から筒状部外部への液状内容物通過用の第１の貫通部を備えた筒状部材であり、
前記吐出弁部材は、
前記操作部材とは別の独立した移動可能な部材で、かつ、開口部側が前記吸込弁部材の外周面に案内され、当該吸込弁部材の上流側内部空間域から連続する下流側内部空間域を形成する有底筒状部からなって、その底部側の側面部分に、有底筒状部内部から有底筒状部外部への液状内容物通過用の第２の貫通部を備えた有底筒状部材であって、
当該操作部材への前記液状内容物吐出操作およびその解除に応じて前記開口部分との間の開閉作用を呈する、弁作用部と、
少なくとも前記下死点位置で前記第１の環状起立部の内周面に当接し、当該内周面との摩擦力によりこの当接状態に保持される被保持部とを有し、
前記操作部材および前記吐出弁部材は、
前記液状内容物吐出操作の時には、
先ず当該操作部材の開口部分が前記弁作用部から離間し、続いて前記連動作用部が当該吐出弁部材を前記操作方向に駆動し、
前記液状内容物吐出操作の解除時には、
先ず前記操作部材復帰作動部の復帰作用に基づき、当該操作部材が、当該吐出弁部材に対して当該開口部分と当該弁作用部との間部分が開状態のまま前記逆方向に移動することにより、前記バックサクション作用を呈し、続いて同じく当該復帰作用に基づいて当該間部分が閉状態となった上で当該操作部材および当該吐出弁部材が連動して静止モードに復帰する、
構造からなり、
前記吸込弁の部分から前記開口部分までの液状内容物通路域として、
前記上流側内部空間域から前記下流側内部空間域を経て前記第２の貫通部およびその先の前記開口部分にいたる第１の通路域と、
前記第１の貫通部から、前記吸込弁部材および前記吐出弁部材と前記第２の環状起立部および前記筒状の可動部材との間の外部空間域を経て、前記開口部分にいたる第２の通路域とが設定されている、
ことを特徴とするバックサクション機能を備えたポンプ機構。
【請求項１０】
前記操作部材は、
操作対象となる環状上面部分を備え、
当該環状上面部分の内側開口部が前記吐出口側の開口部分として作用する筒状部材からなっている、
ことを特徴とする請求項８または９記載のバックサクション機能を備えたポンプ機構。
【請求項１１】
前記液状内容物の通路域の外側の空間域に当該通路域から隔離した態様で配設されて、前記操作部材を前記逆方向に付勢することにより前記操作部材復帰作動部として作用する弾性部材を有する、
ことを特徴とする請求項１乃至１０のいずれかに記載のバックサクション機能を備えたポンプ機構。
【請求項１２】
請求項１乃至１１のいずれかに記載のポンプ機構を備え、かつ、放出対象の液状内容物を収容した、
ことを特徴とするポンプ式製品。
【発明の詳細な説明】
【技術分野】
【０００１】
本発明は、バックサクション機能を備えたポンプ機構、例えばエアレスポンプ機構などに関する。
【０００２】
特に操作部材の液状内容物吐出操作の解除直後に、当該操作部材と吐出弁部材との間の弁作用および操作部材復帰作動部の作用により、吐出口側の残留液状内容物に対してバックサクション作用を呈するポンプ機構に関する。
【０００３】
なお、本明細書で用いる「液状内容物」は後述のようにクリーム状，ペースト状またはゾル状などの各種内容物を含む概念である。
【０００４】
本発明は、容器本体の液状内容物収容空間域を画定する底部が液状内容物吐出動作にともなう当該空間域の圧力低下に応じて上方向に移動するタイプのエアレスポンプ機構および、この液状内容物収容空間域の圧力低下に応じた分の大気が当該空間域に流入する固定底部タイプの通常ポンプ機構のそれぞれを対象とする。ただ、以下の記載では単なる説明の便宜上、エアレスポンプ機構の場合を主たる前提としている。
【背景技術】
【０００５】
バックサクション機能を備えたエアレスポンプ機構自体は、例えば下記特許文献１で開示される。
【０００６】
このエアレスポンプ機構（バックサクション機構）の場合、
(11)吐出ノズル付押下ヘッド１２（本発明のスパウトに相当）の上流側に設けられてこれと連動するピストン１４（本発明のジャバラ部材，筒状シール部材に相当）に、吐出弁１９（本発明の吐出弁部材に相当）が取り付けられ、
(12)この吐出弁１９は、ピストン１４にいわば固定されて略変形しない外パーツ１９ｂと、弾性変形して当該外パーツとの間の開閉作用を呈する内パーツ１９ａと、が嵌め合わされたものであり、
(13)吐出ノズル付押下ヘッド１２の押し切り状態（＝下死点状態）のとき、吐出弁１９の内パーツ１９ａを、シリンダに固定された液封止パーツ１７の突出部１７ｄで押し上げ、すなわち内パーツ１９ａを弾性作用に抗する態様でいわば強制的に開状態に変形させ、
(14)続いて吐出ノズル付押下ヘッド１２の押下げを解除して吐出弁１９も上方向に連動するとき、その初期の、まだ内パーツ１９ａが突出部１７ｄで押し上げられて吐出弁作用部が開状態となっている段階でバックサクション作用を呈する、
ようになっている。
【０００７】
【特許文献１】特開平１０−５９４０５号公報
【発明の開示】
【発明が解決しようとする課題】
【０００８】
このようなバックサクション機構では、変形可能な内パーツとそうでない外パーツとを嵌め合わせた形の吐出弁を用い、かつ、吐出ノズル付押下ヘッドがその下死点状態から静止モードに復帰する初期段階で吐出弁作用部を開状態に維持するための突出部（液封止パーツ）を別途設けている。
【０００９】
また、この吐出弁作用部は吐出ノズル付押下ヘッドに取り付けられたピストンの内部空間域（＝ヘッドの上流側空間域）に設定されている。
【００１０】
そのため、バックサクション機構の構成部品数が多くなり、その組立に手間がかかり、機構全体のコストも高くなるという問題点があった。
【００１１】
また、バックサクション作用を呈する吐出弁の設定箇所が、液状内容物の吐出口であるノズル先端部分から離れた部分となって、当該吐出口およびその近くのノズル部分に残留している液状内容物をその貯留空間域（吐出弁と吸込弁との間の空間域）に効率的に引き込みにくいという問題点があった。
【００１２】
そこで本発明では、吐出弁作用部として、操作部材の吐出口側の開口部分と、当該操作部材とは別で（その弁作用部が弾性変形することのない）移動可能な吐出弁部材とからなる開閉作用部を用い、吐出操作解除後の静止モードへの復帰初期段階でのバックサクション作用に必須となる当該開口部分と当該吐出弁部材との間の開状態が、特別の開状態維持用部材などを何ら要することなしに、続くようにしている。
【００１３】
本発明の目的は、この操作部材開口部分と吐出弁部材とからなる吐出弁作用部を用いてバックサクション機構（ポンプ機構）を構成し、これにより当該機構の組立手順の簡単化を図るとともに、当該機構全体のコスト低減化を図ることを目的とする。
【００１４】
また、この吐出弁作用部を操作部材の吐出口側に設定し、これにより吐出口およびその近くの通路部分に残留している液状内容物の貯留空間域への引込み動作の確実化を図ることを目的する。
【課題を解決するための手段】
【００１５】
本発明は、以上の課題を次のようにして解決する。
（１）操作部材（例えば後述のスパウト１，２）の液状内容物吐出操作の解除直後に、当該操作部材とこれとは独立して下死点位置へ移動する吐出弁部材（例えば後述の吐出弁部材３，３'）との間の弁作用および操作部材復帰作動部（例えば後述のジャバラ部材６，コイルスプリング９）の作用により、吐出口側の残留液状内容物に対してバックサクション作用を呈するポンプ機構において、
前記操作部材は、
前記吐出口側の開口部分（例えば後述の開口部１ｃ，２ａ）と、
前記液状内容物吐出操作の際に、前記吐出弁部材と当接してこれを当該吐出操作の操作方向に駆動する連動作用部（例えば後述の駆動作用部１ｅ，上側縦リブ状部２ｄ）と、
操作対象となる環状上面部分（例えば後述の環状上面部分２ｇ）とを有し、
当該環状上面部分の内側開口部が前記吐出口側の開口部分として作用する筒状部材からなり、
前記吐出弁部材は、
前記操作部材とは別の独立した移動可能な部材であって、
当該操作部材への前記液状内容物吐出操作およびその解除に応じて前記開口部分との間の開閉作用を呈する、弁作用部（例えば後述の外向き緩突状部３ａ）を有し、
前記操作部材および前記吐出弁部材は、
前記液状内容物吐出操作の時には、
先ず当該操作部材の開口部分が前記弁作用部から離間し、続いて前記連動作用部が当該吐出弁部材を前記操作方向に駆動し、
前記液状内容物吐出操作の解除時には、
先ず前記操作部材復帰作動部の復帰作用に基づき、当該操作部材が、当該吐出弁部材に対して当該開口部分と当該弁作用部との間部分が開状態のまま当該操作方向とは逆方向に移動することにより、前記バックサクション作用を呈し、続いて同じく当該復帰作用に基づいて当該間部分が閉状態となった上で当該操作部材および当該吐出弁部材が連動して静止モードに復帰する、構造からなっている、
ポンプ機構を用いる。
（２）上記（１）において、
前記液状内容物を収容する容器本体（例えば後述の容器本体１０）に取り付けられて、当該容器本体とともに液状内容物の収容空間域を設定するカバー体（例えば後述のカバー体５，７）を有し、
前記カバー体は、
前記収容空間域の液状内容物が流入する孔部（例えば後述の流入用孔部５ａ，７ａ）と、
当該孔部の回りに形成されて、少なくとも前記下死点位置の前記吐出弁部材をそれとの摩擦作用により保持する機能を備えた第１の環状起立部（例えば後述の筒状の内側起立部５ｃ，７ｃ）とを有し、
前記吐出弁部材は、
少なくとも前記下死点位置で前記第１の環状起立部の内周面に当接し、当該内周面との摩擦力によりこの当接状態に保持される被保持部（例えば後述の環状の逆スカート部３ｄ）を有する、
構成態様のものを用いる。
（３）上記（２）において、
前記第１の環状起立部の内側に取り付けられて、その外周面部分で、前記吐出弁部材の前記操作方向および前記逆方向への移動を案内し、かつ、前記孔部に対する弁機能を備えた吸込弁部材（例えば後述の吸込弁部材４）を有する、
構成態様のものを用いる。
（４）上記（２），（３）において、
前記操作部材および前記カバー体（例えば後述のカバー体５）にそれぞれ一方および他方の端部が取り付けられて、前記孔部を閉じた状態の吸込弁（例えば後述の吸込弁４ａ）から前記開口部分にいたる液状内容物貯留空間域（例えば後述の貯留空間域Ｂ）を設定し、かつ、前記操作部材復帰作動部として作用しえる筒状のジャバラ部材（例えば後述のジャバラ部材６）を有する、
構成態様のものを用いる。
（５）上記（２），（３）において、
前記カバー体（例えば後述のカバー体７）の前記第１の環状起立部（例えば後述の筒状の内側起立部７ｃ）の外側に形成された第２の環状起立部（例えば後述の筒状の中間起立部７ｆ）と、
前記操作部材（例えば後述のスパウト１）に取り付けられて、前記第２の環状起立部の内周面との間のシール作用を呈し、かつ、前記孔部（例えば後述の流入用孔部７ａ）を閉じた状態の吸込弁（例えば後述の吸込弁４ａ）から前記開口部分にいたる液状内容物貯留空間域（例えば後述の貯留空間域Ｂ）を設定する筒状の可動部材（例えば後述の筒状のシール部材８）とを有する、
構成態様のものを用いる。
（６）操作部材（例えば後述のスパウト１，２）の液状内容物吐出操作の解除直後に、当該操作部材とこれとは独立して下死点位置へ移動する吐出弁部材（例えば後述の吐出弁部材３，３'）との間の弁作用および操作部材復帰作動部（例えば後述のジャバラ部材６）の作用により、吐出口側の残留液状内容物に対してバックサクション作用を呈するポンプ機構において、
前記液状内容物を収容する容器本体（例えば後述の容器本体１０）に取り付けられて、当該容器本体とともに液状内容物の収容空間域を設定し、かつ、当該収容空間域の液状内容物が流入する孔部（例えば後述の流入用孔部５ａ）と、当該孔部の回りに形成されて、少なくとも前記下死点位置の前記吐出弁部材をそれとの摩擦作用により保持する機能を備えた第１の環状起立部（例えば後述の筒状の内側起立部５ｃ）とを有するカバー体（例えば後述のカバー体５）と、
前記操作部材および前記カバー体にそれぞれ一方および他方の端部が取り付けられた筒状のジャバラ部材（例えば後述のジャバラ部材６）とを備え、
前記操作部材は、
前記吐出口側の開口部分（例えば後述の開口部１ｃ，２ａ）と、
前記液状内容物吐出操作の際に、前記吐出弁部材と当接してこれを当該吐出操作の操作方向に駆動する連動作用部（例えば後述の駆動作用部１ｅ，上側縦リブ状部２ｄ）とを有し、
前記吐出弁部材は、
前記操作部材とは別の独立した移動可能な部材であって、
当該操作部材への前記液状内容物吐出操作およびその解除に応じて前記開口部分との間の開閉作用を呈する、弁作用部（例えば後述の外向き緩突状部３ａ）と、
少なくとも前記下死点位置で前記第１の環状起立部の内周面に当接し、当該内周面との摩擦力によりこの当接状態に保持される被保持部（例えば後述の環状の逆スカート部３ｄ）とを有し、
前記ジャバラ部材は、
前記孔部を閉じた状態の吸込弁（例えば後述の吸込弁４ａ）から前記開口部分にいたる液状内容物貯留空間域（例えば後述の貯留空間域Ｂ）を設定し、かつ、前記操作部材復帰作動部として作用しえる部材であり、
前記操作部材および前記吐出弁部材は、
前記液状内容物吐出操作の時には、
先ず当該操作部材の開口部分が前記弁作用部から離間し、続いて前記連動作用部が当該吐出弁部材を前記操作方向に駆動し、
前記液状内容物吐出操作の解除時には、
先ず前記操作部材復帰作動部の復帰作用に基づき、当該操作部材が、当該吐出弁部材に対して当該開口部分と当該弁作用部との間部分が開状態のまま当該操作方向とは逆方向に移動することにより、前記バックサクション作用を呈し、続いて同じく当該復帰作用に基づいて当該間部分が閉状態となった上で当該操作部材および当該吐出弁部材が連動して静止モードに復帰する、構造からなっている、
ポンプ機構を用いる。
（７）上記（６）において、
前記第１の環状起立部の内側に取り付けられて、その外周面部分で、前記吐出弁部材の前記操作方向および前記逆方向への移動を案内し、かつ、前記孔部に対する弁機能を備えた吸込弁部材（例えば後述の吸込弁部材４）を有する、
構成態様のものを用いる。
（８）上記（７）において、
前記吸込弁部材は、
前記孔部に対して作用する前記吸込弁が形成された筒状部からなって、その吸込弁側の側面部分に、筒状部内部から筒状部外部への液状内容物通過用の第１の貫通部（例えば後述の切欠状部４ｃ）を備えた筒状部材であり、
前記吐出弁部材は、
開口部側が前記吸込弁部材の外周面に案内され、当該吸込弁部材の上流側内部空間域から連続する下流側内部空間域を形成する有底筒状部からなって、その底部側の側面部分に、有底筒状部内部から有底筒状部外部への液状内容物通過用の第２の貫通部（例えば後述の縦方向切欠状部３ｂ）を備えた有底筒状部材であり、
前記吸込弁の部分から前記開口部分までの液状内容物通路域として、
前記上流側内部空間域から前記下流側内部空間域を経て前記第２の貫通部およびその先の前記開口部分にいたる第１の通路域と、
前記第１の貫通部から、前記吸込弁部材および前記吐出弁部材と前記ジャバラ部材との間の外部空間域を経て、前記開口部分にいたる第２の通路域とが設定されている、
構成態様のものを用いる。
（９）操作部材（例えば後述のスパウト１）の液状内容物吐出操作の解除直後に、当該操作部材とこれとは独立して下死点位置へ移動する吐出弁部材（例えば後述の吐出弁部材３）との間の弁作用および操作部材復帰作動部（例えば後述のコイルスプリング９）の作用により、吐出口側の残留液状内容物に対してバックサクション作用を呈するポンプ機構において、
前記液状内容物を収容する容器本体（例えば後述の容器本体１０）に取り付けられて、当該容器本体とともに液状内容物の収容空間域を設定し、かつ、当該収容空間域の液状内容物が流入する孔部（例えば後述の流入用孔部７ａ）と、当該孔部の回りに形成されて、少なくとも前記下死点位置の前記吐出弁部材をそれとの摩擦作用により保持する機能を備えた第１の環状起立部（例えば後述の筒状の内側起立部７ｃ）と、当該第１の環状起立部の外側に形成された第２の環状起立部（例えば後述の筒状の中間起立部７ｆ）とを有するカバー体（例えば後述のカバー体７）と、
前記第１の環状起立部の内側に取り付けられて、前記孔部に対する弁機能を備えた吸込弁部材（例えば後述の吸込弁部材４）と、
前記操作部材に取り付けられて、前記第２の環状起立部の内周面との間のシール作用を呈する筒状の可動部材（例えば後述の筒状のシール部材８）とを備え、
前記操作部材は、
前記吐出口側の開口部分（例えば後述の開口部１ｃ）と、
前記液状内容物吐出操作の際に、前記吐出弁部材と当接してこれを当該吐出操作の操作方向に駆動する連動作用部（例えば後述の駆動作用部１ｅ）とを有し、
前記筒状の可動部材は、
前記孔部を閉じた状態の吸込弁（例えば後述の吸込弁４ａ）から前記開口部分にいたる液状内容物貯留空間域（例えば後述の貯留空間域Ｂ）を設定する可動部材であり、
前記吸込弁部材は、
その外周面部分で、前記吐出弁部材の前記操作方向および当該操作方向とは逆方向への移動を案内し、
前記孔部に対して作用する前記吸込弁が形成された筒状部からなって、その吸込弁側の側面部分に、筒状部内部から筒状部外部への液状内容物通過用の第１の貫通部（例えば後述の切欠状部４ｃ）を備えた筒状部材であり、
前記吐出弁部材は、
前記操作部材とは別の独立した移動可能な部材で、かつ、開口部側が前記吸込弁部材の外周面に案内され、当該吸込弁部材の上流側内部空間域から連続する下流側内部空間域を形成する有底筒状部からなって、その底部側の側面部分に、有底筒状部内部から有底筒状部外部への液状内容物通過用の第２の貫通部（例えば後述の縦方向切欠状部３ｂ）を備えた有底筒状部材であって、
当該操作部材への前記液状内容物吐出操作およびその解除に応じて前記開口部分との間の開閉作用を呈する、弁作用部（例えば後述の外向き緩突状部３ａ）と、
少なくとも前記下死点位置で前記第１の環状起立部の内周面に当接し、当該内周面との摩擦力によりこの当接状態に保持される被保持部（例えば後述の環状の逆スカート部３ｄ）とを有し、
前記操作部材および前記吐出弁部材は、
前記液状内容物吐出操作の時には、
先ず当該操作部材の開口部分が前記弁作用部から離間し、続いて前記連動作用部が当該吐出弁部材を前記操作方向に駆動し、
前記液状内容物吐出操作の解除時には、
先ず前記操作部材復帰作動部の復帰作用に基づき、当該操作部材が、当該吐出弁部材に対して当該開口部分と当該弁作用部との間部分が開状態のまま前記逆方向に移動することにより、前記バックサクション作用を呈し、続いて同じく当該復帰作用に基づいて当該間部分が閉状態となった上で当該操作部材および当該吐出弁部材が連動して静止モードに復帰する、
構造からなり、
前記吸込弁の部分から前記開口部分までの液状内容物通路域として、
前記上流側内部空間域から前記下流側内部空間域を経て前記第２の貫通部およびその先の前記開口部分にいたる第１の通路域と、
前記第１の貫通部から、前記吸込弁部材および前記吐出弁部材と前記第２の環状起立部および前記筒状の可動部材との間の外部空間域を経て、前記開口部分にいたる第２の通路域とが設定されている、
ポンプ機構を用いる。
（１０）上記（８），（９）において、
前記操作部材（例えば後述のスパウト２）は、
操作対象となる環状上面部分（例えば後述の環状上面部分２ｇ）を備え、
当該環状上面部分の内側開口部が前記吐出口側の開口部分として作用する筒状部材からなっている、
構成態様のものを用いる。
（１１）上記（１）〜（１０）において、
前記液状内容物の通路域の外側の空間域に当該通路域から隔離した態様で配設されて、前記操作部材を前記逆方向に付勢することにより前記操作部材復帰作動部として作用する弾性部材（例えば後述のコイルスプリング９）を有する、
構成態様のものを用いる。
【００１６】
本発明は、以上の構成からなるバックサクション機能を備えたポンプ機構および当該ポンプ機構を備えたポンプ式製品を対象としている。
【００１７】
なお、上述の（１），（６），（９）それぞれのバックサクション機能を備えたポンプ機構は、概略、
・（１）が図６〜図８に対応し、
・（６）が図１〜図８に対応し、
・（９）が図９〜図１１に対応している。
【発明の効果】
【００１８】
本発明はこのように、吐出弁作用部として、操作部材の吐出口側の開口部分と、当該操作部材とは別で移動可能な吐出弁部材とからなる開閉作用部を用い、吐出操作解除後の静止モードへの復帰初期段階でのバックサクション作用に必須となる当該開口部分と当該吐出弁部材との間の開状態が、特別の開状態維持用部材などを何ら要することなしに、続くようにしている。
【００１９】
そのためバックサクション機構（ポンプ機構）の組立手順の簡単化を図るとともに、当該機構全体のコスト低減化を図ることができる。
【００２０】
また、吐出口およびその近くの通路部分に残留している液状内容物の貯留空間域への引込み動作の確実化を図ることができる。
【図面の簡単な説明】
【００２１】
【図１】横吐出タイプのスパウトおよび、液状内容物貯留空間域の形成用部材としてのジャバラ部材を用いたエアレスポンプ式製品の静止モード示す説明図である。
【図２】図１のエアレスポンプ式製品の液状内容物吐出状態を示す説明図である。
【図３】図１のエアレスポンプ式製品のスパウト（吐出弁部材）下死点状態を示す説明図である。
【図４】図１のエアレスポンプ式製品のスパウト（吐出弁部材）下死点から静止モードへの復帰初期段階、すなわち吐出弁作用部がまだ開いたままのバックサクション状態を示す説明図である。
【図５】図４のバックサクション終了後の静止モードへの復帰段階、すなわち吐出弁作用部が閉じ、吸込弁作用部が開いて、次回吐出対象の液状内容物がその収容空間域から貯留空間域へ流入している状態を示す説明図である。
【図６】上吐出タイプのスパウトおよび、液状内容物貯留空間域の形成用部材としてのジャバラ部材を用いたエアレスポンプ式製品の静止モードを示す説明図である。
【図７】図６のエアレスポンプ式製品のスパウト（吐出弁部材）下死点状態を示す説明図である。
【図８】図６のエアレスポンプ式製品のスパウト（吐出弁部材）下死点から静止モードへの復帰初期段階、すなわち吐出弁作用部がまだ開いたままのバックサクション状態を示す説明図である。
【図９】横吐出タイプのスパウトおよび、液状内容物貯留空間域の形成用部材としての筒状シール部材（非ジャバラ形状）を用いたエアレスポンプ式製品の静止モードを示す説明図である。
【図１０】図９のエアレスポンプ式製品のスパウト（吐出弁部材）下死点状態を示す説明図である。
【図１１】図９のエアレスポンプ式製品のスパウト（吐出弁部材）下死点から静止モードへの復帰初期段階、すなわち吐出弁作用部がまだ開いたままのバックサクション状態を示す説明図である。
【図１２】吸込弁部材の形状を示す説明図であり、(a)は斜視形状を示し、(b)は断面形状を示している。
【発明を実施するための形態】
【００２２】
図１〜図１２を用いて本発明を実施するための形態を説明する。
【００２３】
図１〜図１２で用いるアルファベット付き参照番号の構成要素（例えば通路部分１ａ）は原則として、当該参照番号の数字部分の構成要素（例えばスパウト１）の一部であることを示している。
【００２４】
図１〜図５，図９，図１０，図１１において、
１は利用者の液状内容物吐出操作の対象となる横吐出タイプのスパウト，
１ａは略横方向に筒状態様で形成された液状内容物の通路部分，
１ｂは通路部分１ａの出力側となる液状内容物吐出用の孔部，
１ｃは通路部分１ａの入力側に形成された円態様の開口部，
１ｄは開口部１ｃの画定要素であって、後述の外向き緩突状部２ａとともに弁作用を呈する内向き緩突状部，
１ｅは開口部１ｃと対向する通路天井部分の一部にリブ状に例えば３個形成され、当該スパウトの押下げ操作開始から遅延して後述の吐出弁部材３の上面部分に当接し、その後、当該吐出弁部材３と連動してこれを下方向に移動させる駆動作用部，
１ｆは内向き緩突状部１ｄに続いて下方に延びる内側筒状部，
１ｇは当該スパウトの外側筒状部の下端側外周面に外延態様で形成された環状の被係止用テーパ部分，
１ｈは当該スパウトの天井面の径方向に複数形成されたリブ状部，
をそれぞれ示している。
【００２５】
図６〜図８において、
２は利用者の液状内容物吐出操作の対象となる上吐出タイプのスパウト，
２ａは当該スパウトの上面中央部分に形成された円態様の開口部，
２ｂは開口部２ａの形成要素であって、後述の外向き緩突状部３ａとともに弁作用を呈する内向き緩突状部，
２ｃは内向き緩突状部２ｂに続いて下方に延びる内側筒状部，
２ｄは内側筒状部２ｃの上側内周面にその周方向に飛び飛びの態様で形成され、当該スパウトの押下げ操作開始から遅延して後述の吐出弁部材３’の下側縦リブ状部３ｅの上端分に当接し、その後、当該吐出弁部材３’と連動してこれを下方向に移動させる、複数の上側縦リブ状部，
２ｅは当該スパウトの外側筒状部の下端側外周面に外延態様で形成された環状の被係止用テーパ部分，
２ｆは当該スパウトの天井面の径方向に複数形成されたリブ状部，
２ｇは当該スパウトの押下げ操作の対象となる環状上面部分，
をそれぞれ示している。
【００２６】
図１〜図１２において（３’および３ｅは図６〜図８のみで使用）、
３，３’はスパウト１，２の開口部１ｃ，２ａから内側筒状部１ｆ，２ｃおよびその下方空間域に、上下動可能な形で配設された鞘状の吐出弁部材，
３ａは当該吐出弁部材の上端側外周面部分に、内向き緩突状部１ｄ，２ｂと密接可能な態様で形成されて弁作用を呈する環状の外向き緩突状部，
３ｂは当該吐出弁部材の上側周面部分に飛び飛びに４個形成された液状内容物通過用の縦方向切欠状部，
３ｃは当該吐出弁部材の内周面下側部分に形成された環状の内面緩突状部，
３ｄは当該吐出弁部材の下端部分に形成された環状の逆スカート部，
３ｅは縦方向切欠状部３ｂの下方に続く外周面部分にその周方向に飛び飛びの態様で形成され、スパウト２の押下げ操作にともなって自らの上端部分が上側縦リブ状部２ｄの下端部分と当接して下方向に連動する形の、複数の下側縦リブ状部，
４は吐出弁部材３の上下動に対するガイド機能も備えた筒状で、上下動することのない吸込弁部材，
４ａは当該吸込弁部材の下端側内部空間域に形成されて、後述の流入用孔部５ａへの弁作用を呈する円状の吸込弁，
４ｂは吸込弁４ａを当該吸込弁部材の内周面に連結している円弧状の計三個の弾性片部，
４ｃは当該吸込弁部材の下側大径筒状部分の周面および上面の各一部に相当する液状内容物通過用の切欠状部，
４ｄは当該下側大径筒状部分の下端側部分に形成された係合用の環凸状部，
４ｅは当該吸込弁部材の外周面上部分に形成されて、静止モードのとき吐出弁部材３の内面緩突状部３ｃと係合する環状の外面緩突状部，
をそれぞれ示している。
【００２７】
図１〜図８において、
５は吸込弁部材４が固定状態で取り付けられ、かつ、後述の容器本体１０およびを可動底部材（シール部材）１１とともに後述の液状内容物収容空間域Ａを形成するカバー体，
５ａは吸込弁４ａが開くことにより当該収容空間の液状内容物が吸込弁部材４の内部空間域側へと移動する際の流入用孔部，
５ｂは流入用孔部５ａの回りに起立態様で形成されて、吸込弁４ａを密接状態で受けることにより当該流入用孔部を閉状態に設定する環状の弁作用部，
５ｃは弁作用部５ｂの回りに形成されて、吸込弁部材４の環凸状部４ｄを固定的に保持するとともに、スパウト１，２の押下げ操作にともない下動する吐出弁部材３の逆スカート部３ｄと当接し、この当接部分同士の摩擦作用により当該吐出弁部材を積極的に保持する機能を備えた筒状の内側起立部，
５ｄは内側起立部５ｃの内周面下側部分に形成されて、吸込弁部材４の環凸状部４ｄとの係合作用により当該吸込弁部材を固定状態で保持する環凹状部，
５ｅは内側起立部５ｃの上端側部分の周方向に間歇的に形成されて、吐出弁部材３の下動にともないその逆スカート部３ｄが当該部分に当接する段階での液状内容物の通路域として作用する上下方向の切欠状部，
５ｆは当該カバー体の外側筒状起立部の内周面上端側部分に内延態様で形成されて、スパウト１，２に上方向の過大な力が加わったとき、被係止用テーパ部分１ｇ，２ｅと当接することにより当該スパウトが当該カバー体から抜けるのを防止する係止用テーパ部分
６は上側筒状部分および下側筒状部分がそれぞれスパウト１，２の内側筒状部１ｆ，２ｃおよびカバー体５の内側起立部５ｃの各外周面に嵌合して、吸込弁４ａから内向き緩突状部１ｄ，２ｂ（吐出弁作用部分）までの後述の液状内容物貯留空間域Ｂを形成するジャバラ部材，
をそれぞれ示している。
【００２８】
図９〜図１１において、
７は吸込弁部材４が固定状態で取り付けられ、かつ、後述の容器本体１０およびを可動底部材（シール部材）１１とともに後述の液状内容物収容空間域Ａを形成するカバー体，
７ａは吸込弁４ａが開くことにより当該収容空間の液状内容物が吸込弁部材４の内部空間域側へと移動する際の流入用孔部，
７ｂは流入用孔部７ａの回りに起立態様で形成されて、吸込弁４ａを密接状態で受けることにより当該流入用孔部を閉状態に設定する環状の弁作用部，
７ｃは弁作用部７ｂの回りに形成されて、吸込弁４ａを固定保持するとともに、スパウト１の押下げ操作にともない下動する吐出弁部材３の逆スカート部３ｄと当接し、この当接部分同士の摩擦作用により当該吐出弁部材を積極的に保持する機能を備えた筒状の内側起立部，
７ｄは内側起立部７ｃの内周面下側部分に形成されて、吸込弁部材４の環凸状部４ｄとの係合作用により当該吸込弁部材を固定状態で保持する環凹状部，
７ｅは内側起立部７ｃの上端側を含む部分の周方向に間歇的に形成されて、吐出弁部材３の下動にともないその逆スカート部３ｄが当該部分に当接する段階での液状内容物の通路域として作用する上下方向の切欠状部，
７ｆは内側起立部７ｃの回りに形成されて、後述のシール部材８に対する案内機能を備えた筒状の中間起立部，
７ｇは当該カバー体の外側筒状起立部の内周面上端側部分に内延態様で形成されて、スパウト１に上方向の過大な力が加わったとき、被係止用テーパ部分１ｇと当接することにより当該スパウトが当該カバー体から抜けるのを防止する環状の係止用テーパ部分，
８は筒状上側部分がスパウト１の内側筒状部１ｆの各外周面に嵌合し、下端側が中間起立部７ｆの内周面に密接して、吸込弁４ａから内向き緩突状部１ｄ（吐出弁作用部分）までの後述の液状内容物貯留空間域Ｂを形成する筒状のシール部材，
８ａは中間起立部７ｆの内周面とのシール作用を呈する上側の逆スカート部，
８ｂは中間起立部７ｆの内周面とのシール作用を呈する下側のスカート部，
をそれぞれ示している。
【００２９】
図６〜図１１において
９はスパウト１，２のリブ状部１ｈ，２ｆとカバー体５，７の底面部分との間に配設されて当該スパウトを上方向（静止モード）に付勢するコイルスプリング，
を示している。
【００３０】
図１〜図１１において、
１０は液状内容物を収容する容器本体，
１０ａは外気流入用の孔部，
１１はスパウト１，２の押下げ操作解除にともなう当該スパウトの復帰動作にともなって、容器本体内部の液状内容物がカバー体５，７の流入用孔部５ａ，７ａから吸込弁部材４の内部空間域側へと移動する際に、容器本体１０の内周面に密接しながら上方向に移動する可動底部材（シール部材），
１１ａは容器本体１０の内周面とのシール作用を呈する逆スカート部，
Ａはカバー体５，７，容器本体１０および可動底部材１１により画定される容器本体内部の液状内容物の収容空間域，
Ｂはスパウト１，２の内向き緩突状部１ｄ，２ｂ（内側筒状部１ｆ，２ｃ），吐出弁部材３の外向き緩突状部３ａ，吸込弁４ａおよびジャバラ部材５，カバー体７の中間起立部７ｆ，シール部材８などにより画定されて、その中に次の吐出対象となる液状内容物が保持される貯留空間域，
をそれぞれ示している。
【００３１】
ここで、スパウト１，２，吐出弁部材３，３’，吸込弁部材４，カバー体５，７，シール部材８，容器本体１０および可動底部材１１はそれぞれ、ポリプロピレン，ポリエチレン，ポリアセタール，ナイロン，ポリブチレンテレフタレートなどからなるプラスチック製のものである。
【００３２】
また、ジャバラ部材６はプラスチック製のもの、ニトリルブタジエンゴム（ＮＢＲ)，シリコンゴム，ブチルゴム，フッ素ゴムなどからなるゴム製（熱硬化性エラストマー製）のもの、または熱可塑性エラストマー製のものである。
【００３３】
また、コイルスプリング９は金属製またはプラスチック製のものである。
【００３４】
なお、吐出弁部材３，３’は単一部材からなり、吐出操作時の弁貯留空間域の圧力増加によってもその弁作用部である外向き緩突状部３ａが変形しない性状のものである。
【００３５】
また、吐出弁部材３，３’の内面緩突状部３ｃと、これの上下方向への変位動作を案内する吸込弁部材４の筒状部外周面（外面緩突状部４ｅの下側筒状部分の外周面）とは、少なくとも当該吐出弁部材がその下死点にいたった状態では当該内面緩突状部が当該筒状部外周面との摩擦力により当該下死点位置に保持される態様の形状，性状のものになっている。
【００３６】
例えば、この外面緩突状部４ｅの下側筒状部分の外径を下方側で大きく設定して、少なくとも吐出弁部材３，３’の下死点位置またはその近くの位置でその内面緩突状部３ｃが当接する当該下側筒状部分の外径を、吐出弁部材３，３’の当該内面緩突状部での内径よりも大きくする。
【００３７】
図示のエアレスポンプにおけるバックサクション機構の基本的特徴は、
(21)吐出弁作用部として、スパウト１，２と、これから独立した部材であってスパウト押下げ操作およびその解除にともない当該スパウトとの離接作用を呈する吐出弁部材３と、からなる弁作用部を設定し、
(22)押下げ操作解除後に吐出弁作用部がそれまでの開状態から静止モードの閉状態へ復帰する過程の初期段階、すなわち吐出弁作用部がまだ開いたままスパウト１，２が上動している段階での貯留空間域Ｂの容積増大にともない、ポンプ吐出口側の残留液状内容物に対してバックサクション作用を呈する（図４，図８，図１１参照）、
ことである。
【００３８】
このバックサクション機構の別の基本的特徴は、
(31)液状内容物吐出口の近く（図１〜図５，図９〜図１１参照）または液状内容物吐出口自体（図６〜図８参照）に吐出弁作用部、すなわちバックサクション機構を形成した、
ことである。
【００３９】
図示のエアレスポンプ式製品は、
・横吐出タイプのスパウト１および貯留空間域Ｂの形成用部材としてのジャバラ部材６を用いたもの（その１：図１〜図５）
・上吐出タイプのスパウト２および貯留空間域Ｂの形成用部材としてのジャバラ部材６を用いたもの（その２：図６〜図８）
・横吐出タイプのスパウト１および貯留空間域Ｂの形成用部材としてのシール部材８を用いたもの（その３：図９〜図１１）
の３種類である。
【００４０】
いずれのエアレスポンプ式製品もその動作態様は同じであり、以下、スパウト１およびジャバラ部材６を用いたエアレスポンプ（図１〜図５）を中心に説明する。
【００４１】
エアレスポンプ式製品の静止モード（図１，図６，図９参照）では、
(41)スパウト１，２はそれぞれ、ジャバラ部材６やコイルスプリング９の弾性作用により上方向に付勢され、
(42)この付勢力によって、吐出弁作用部、すなわちスパウト１，２の内向き緩突状部１ｄ，２ｂおよび吐出弁部材３の外向き緩突状部３ａからなる弁作用部は、互いに密接した閉状態に設定され、
(43)同じく、吐出弁部材３の内面緩突状部３ｃが吸込弁部材４の外面緩突状部４ｅに係合した状態で保持され、
(44)スパウト１，２の被係止用テーパ部分１ｇ，２ｅがカバー体５，７の係止用テーパ部分５ｆ，７ｇから僅かに離間した状態で保持され、
(45)吸込弁４ａはカバー体５，７の弁作用部５ｂ，７ｂに密接し、
(46)貯留空間域Ｂは、前回のスパウト押下げ操作（＝液状内容物吐出動作）の解除にともなう内部圧力の低下で吸込弁４ａがいったん開き（図５参照）、この開状態の弁作用部から収容空間域Ａの液状内容物が流入した後の閉空間域になっている。
【００４２】
そして、静止モードのスパウト１，２の上面部分（スパウト２の場合は環状上面部分２ｇ）が押下げられると、先ず、スパウト１，２が吐出弁部材３，３’に対して、当該各スパウトの駆動作用部１ｅおよび上側縦リブ状部２ｄがそれぞれ吐出弁部材３の上面部分および下側縦リブ状部３ｅ（吐出弁部材３’）の上端部分に当接するまで、下動する。
【００４３】
この当接状態では、吐出弁作用部の内向き緩突状部１ｄ，２ｂ（スパウト１，２）と外向き緩突状部３ａ（吐出弁部材３，３’）とが離間している。すなわち、吐出弁作用部が開状態になっている。
【００４４】
この当接後、吐出弁部材３，３’はスパウト１，２とともに下方向に連動し、貯留空間域Ｂの容量が減少する（図２参照）。
【００４５】
この容量減少にともない貯留空間域Ｂが加圧され、当該空間域に貯留されていた液状内容物は開状態の吐出弁作用部から外部空間域に吐出される。このとき吸込弁４ａは勿論閉じたままである。
【００４６】
なお、貯留空間域Ｂの液状内容物が外部空間域に吐出されるときの中間経路は図２で示すように、
・スパウト１，２の内側筒状部１ｆ，２ｃおよびジャバラ部材６と、吐出弁部材３および吸込弁部材４の各外周面との間の環状空間域
・吐出弁部材３，吸込弁部材４の各内部空間域および縦方向切欠状部３ｂ
のいわば並列態様の２系統である。
【００４７】
そして、図１〜図５，図９〜１１におけるスパウト１の場合の液状内容物は通路部分１ａを通って孔部１ｂから外部空間域に吐出される。
【００４８】
また、図６〜図８におけるスパウト２の場合の液状内容物は開口部２ａから直に外部空間域に吐出される。
【００４９】
このスパウト付きのエアレスポンプの利用形態としては例えばコットン，紙，布などを開口部２ａに載せた状態でスパウト２の環状上面部分２ｇを押し下げて、貯留空間域Ｂの液状内容物をコットンなどに塗布，浸透させることなどである。
【００５０】
図３，図７および図１０はそれぞれスパウト１，２が下死点まで押し下げられた状態を示している。
【００５１】
このスパウト１，２の下死点状態では、
(51)上述の吐出弁作用部（スパウト１，２の内向き緩突状部１ｄ，２ｂおよび吐出弁部材３の外向き緩突状部３ａからなる弁作用部）が開き、
(52)吸込弁４ａが閉じ、
(53)液状内容物の吐出動作が終了し、
(54)ジャバラ部材６およびコイルスプリング９がそれぞれ自らの弾性力に抗する形で圧縮され、
(55)スパウト１，２によって押し下げられた吐出弁部材３の逆スカート部３ｄの上端部分がカバー体５，７の内側起立部５ｃ，７ｃの内周面に摩擦係合し、
(56)同じく吐出弁部材３の内面緩突状部３ｃが吸込弁部材４の上側筒状部の外周面に摩擦係合し、
(57)吐出対象の液状内容物が、スパウト１の通路部分１ａおよび開口部１ｃやスパウト２の開口部２ａなどの部分に残留した、
状態になっている。
【００５２】
利用者がスパウト１，２の押下げ操作をやめると、図４，図８，図１１に示すように略吐出弁部材３が下死点位置のまま、スパウト１，２のみが、ジャバラ部材６やコイルスプリング９の弾性作用により上方向に復帰する。
【００５３】
このスパウト１，２のみの復帰動作は内向き緩突状部１ｄ，２ｂが吐出弁部材３の外向き緩突状部３ａに当接するまで続く。当接した後はスパウト１，２および吐出弁部材３が上方向に連動する。
【００５４】
このスパウト１，２のみの復帰動作中、スパウト１，２と吐出弁部材３との間の吐出弁作用部は離間し、また、吐出弁部材３は上記(55)，(56)の摩擦係合作用により下死点の位置に略保持される。
【００５５】
このように吐出弁作用部が開いたままスパウト１，２が上方向に移動するので吐出弁作用部のいわば直上流側空間域の圧力が低下する。
【００５６】
その結果、スパウト１の通路部分１ａおよび開口部１ｃやスパウト２の開口部２ａなどの部分に残留していた液状内容物が、図４，図８，図１１の矢印で示すように貯留空間域Ｂへと吸引される。すなわちバックサクション作用が生じる。
【００５７】
このバックサクション作用は、スパウト１，２の内向き緩突状部１ｄ，２ｂが吐出弁部材３の外向き緩突状部３ａに当接する、すなわち吐出弁作用部が開状態から閉状態に移行することにより終了する。
【００５８】
そして吐出弁作用部が開状態から閉状態に移行した後は、スパウト１，２および吐出弁部材３が上動してそれぞれ図１，図６，図９の静止モードの状態へ復帰する。
【００５９】
このスパウト１，２および吐出弁部材３の静止モードへの復帰過程において、貯留空間域Ｂの容積が増え、当該貯留空間域の圧力が低下する。
【００６０】
この圧力低下にともない吸込弁４ａが開き、容器本体１０の収容空間域Ａの液状内容物が貯留空間域Ｂに流入する。このとき吐出弁作用部は勿論閉じている。そして双方の空間域の圧力差が略なくなった時点で吸込弁４ａは閉じて静止モードに移行する。なお、収容空間域Ａから貯留空間域Ｂに流入した液状内容物は次のスパウト押下げ操作時の吐出対象内容物である。
【００６１】
すなわち、スパウト１，２の押下げ操作にともなう液状内容物吐出動作により内部空間域Ｂの液状内容物が孔部１ｂや開口部２ａから外部空間域に吐出されると、その吐出相当量の液状内容物が容器本体の収容空間域Ａからその下流側の貯留空間域Ｂに流入する。
【００６２】
この液状内容物の貯留空間域Ｂへの流入にともなって収容空間域Ａの圧力が大気圧より小さくなるので、可動底部材１１は大気圧の作用で図示上方向に移動する。なお、容器本体１０の底面部分と可動底部材１１の下面部分とで画定される容器本体内の下方空間域は孔部１０ａを介して常に外部空間と連通している。
【００６３】
本発明が以上の実施形態に限定されないことは勿論であり、例えば、
(61)図１〜図５のポンプ機構にコイルスプリング９を設ける、
(62)図６〜図８のポンプ機構のコイルスプリング９を省略する、
(63)図９〜図１１のポンプ機構のスパウトおよび吐出弁部材として図６のスパウト２および吐出弁部材３’を用いる、
(64)以上のバックサクション機構を、液状内容物収容空間域の圧力低下に応じた分の大気が当該空間域に流入する固定底部タイプのポンプ機構に適用する、
(65)可動底部材１１を省略して、流入用孔部５ａにのみ内部空間が連通し容積可変な内側容器（袋やジャバラ構造を有する軟質容器など）を付加し、その内部空間を収容空間域Ａとする、
ようにしてもよい。
【００６４】
本発明が適用されるポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００６５】
容器本体に収容する内容物には種々の液状形態のものを用いることができ、内容物に配合される成分としては例えば、粉状物，油成分，アルコール類，界面活性剤，高分子化合物，各用途に応じた有効成分，水などが挙げられる。
【００６６】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００６７】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６８】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６９】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００７０】
高分子化合物としては、メチルセルロース，ゼラチン，デンプン，カゼイン，ヒドロキシエチルセルロース，キサンタンガム，カルボキシビニルポリマーなどを用いる。
【００７１】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００７２】
さらに、上記内容物以外の、懸濁剤，紫外線吸収剤，乳化剤，保湿剤，酸化防止剤、金属イオン封鎖剤なども用いることができる。
【符号の説明】
【００７３】
（図１〜図５，図９，図１０，図１１で使用）
１：横吐出タイプのスパウト
１ａ：液状内容物の通路部分
１ｂ：液状内容物吐出用の孔部
１ｃ：円態様の開口部
１ｄ：弁作用を呈する内向き緩突状部
１ｅ：駆動作用部
１ｆ：内側筒状部
１ｇ：環状の被係止用テーパ部分
１ｈ：リブ状部
【００７４】
（図６〜図８で使用）
２：上吐出タイプのスパウト
２ａ：円態様の開口部
２ｂ：内向き緩突状部
２ｃ：内側筒状部
２ｄ：上側縦リブ状部
２ｅ：環状の被係止用テーパ部分
２ｆ：リブ状部
２ｇ：環状上面部分
【００７５】
（図１〜図１２で使用：３’および３ｅは図６〜図８のみで使用）
３，３’：鞘状の吐出弁部材
３ａ：環状の外向き緩突状部
３ｂ：液状内容物通過用の縦方向切欠状部
３ｃ：環状の内面緩突状部
３ｄ：環状の逆スカート部
３ｅ：下側縦リブ状部
４：吸込弁部材
４ａ：円状の吸込弁
４ｂ：円弧状の弾性片部
４ｃ：液状内容物通過用の切欠状部
４ｄ：環凸状部
４ｅ：環状の外面緩突状部
【００７６】
（図１〜図８で使用）
５：カバー体
５ａ：流入用孔部
５ｂ：環状の弁作用部
５ｃ：筒状の内側起立部
５ｄ：環凹状部
５ｅ：上下方向の切欠状部
５ｆ：環状の係止用テーパ部分
６：ジャバラ部材
【００７７】
（図９〜図１１で使用）
７：カバー体
７ａ：流入用孔部
７ｂ：環状の弁作用部
７ｃ：筒状の内側起立部
７ｄ：環凹状部
７ｅ：上下方向の切欠状部
７ｆ：筒状の中間起立部
７ｇ：環状の係止用テーパ部分
８：筒状のシール部材
８ａ：上側の逆スカート部
８ｂ：下側のスカート部
【００７８】
（図６〜図１１で使用）
９：コイルスプリング
【００７９】
（図１〜図１１で使用）
１０：容器本体
１０ａ：外気流入用の孔部
１１：可動底部材（シール部材）
１１ａ：逆スカート部
Ａ：容器本体内部の液状内容物の収容空間域
Ｂ：次の吐出対象となる液状内容物が保持される貯留空間域
【図１】
0005527578.tif 000002
【図２】
0005527578.tif 000003
【図３】
0005527578.tif 000004
【図４】
0005527578.tif 000005
【図５】
0005527578.tif 000006
【図６】
0005527578.tif 000007
【図７】
0005527578.tif 000008
【図８】
0005527578.tif 000009
【図９】
0005527578.tif 000010
【図１０】
0005527578.tif 000011
【図１１】
0005527578.tif 000012
【図１２】
0005527578.tif 000013